(57)【要約】  本発明は、（ｉ）洗浄性界面活性剤、及び（ｉｉ）他の洗剤成分を含む、噴霧乾燥洗剤粉末を調製する方法であって、（ａ）ミキサー内で水性洗剤スラリーを形成する工程と、（ｂ）第１ポンプを通じて、次いで第２ポンプを通じて、スプレーノズルにつながるパイプにミキサーから水性洗剤スラリーを移送させる工程と、（ｃ）洗剤成分を第１ポンプの後かつ第２ポンプの前に、パイプ内の水性洗剤スラリーに接触させて混合物を形成する工程と、（ｄ）スプレーノズルを通じて、噴霧乾燥塔内に混合物を噴霧する工程と、（ｅ）混合物を噴霧乾燥させて噴霧乾燥粉末を形成する工程と、を含み、（ｉ）第１ポンプの出口におけるパイプ内の圧力と（ｉｉ）第２ポンプへの入口におけるパイプ内との間における圧力の低下が８×１０５Ｐａ未満である、方法に関する。【特許請求の範囲】
【請求項１】
（ｉ）洗浄性界面活性剤、及び
（ｉｉ）他の洗剤成分を含む、噴霧乾燥洗剤粉末を調製する方法であって、
（ａ）ミキサー内で水性洗剤スラリーを形成する工程と、
（ｂ）第１ポンプを通じて、次いで第２ポンプを通じて、スプレーノズルにつながるパイプに前記ミキサーから前記水性洗剤スラリーを移送させる工程と、
（ｃ）洗剤成分を前記第１ポンプの後かつ前記第２ポンプの前に、前記パイプ内の前記水性洗剤スラリーに接触させて混合物を形成する工程と、
（ｄ）前記スプレーノズルを通じて、噴霧乾燥塔内に前記混合物を噴霧する工程と、
（ｅ）前記混合物を噴霧乾燥させて噴霧乾燥粉末を形成する工程と、を含み、
（ｉ）前記第１ポンプの出口における前記パイプ内の圧力と（ｉｉ）前記第２ポンプへの入口における前記パイプ内の圧力との間における圧力の低下が８×１０５Ｐａ未満である、方法。
【請求項２】
（ｉ）前記第１ポンプの出口における前記パイプ内の圧力と（ｉｉ）前記第２ポンプへの入口における前記パイプ内の圧力との間における圧力の低下が６×１０５Ｐａ未満である、請求項１に記載の方法。
【請求項３】
前記水性洗剤スラリーが２５重量％〜３５重量％の水を含む、請求項１又は２に記載の方法。
【請求項４】
前記第１ポンプの出口における前記パイプ内の圧力が１×１０６Ｐａ未満である、請求項１〜３のいずれか一項に記載の方法。
【請求項５】
前記第２ポンプの入口における前記パイプ内の圧力が少なくとも３×１０５Ｐａである、請求項１〜４のいずれか一項に記載の方法。
【請求項６】
前記工程（ｃ）において、前記洗剤成分が洗浄性界面活性剤及び／又はその酸の前駆体を含む、請求項１〜５のいずれか一項に記載の方法。
【請求項７】
前記工程（ｃ）において、前記洗剤成分がポリマーを含む、請求項１〜６のいずれか一項に記載の方法。
【請求項８】
前記工程（ｃ）において、前記洗剤成分が水酸化ナトリウムを含む、請求項１〜７のいずれか一項に記載の方法。
【請求項９】
前記工程（ｃ）において、前記洗剤成分が塩化ナトリウムを含む、請求項１〜８のいずれか一項に記載の方法。
【請求項１０】
前記水性洗剤スラリーが０重量％〜５重量％の洗浄性界面活性剤を含む、請求項１〜９のいずれか一項に記載の方法。
【請求項１１】
前記噴霧乾燥洗剤粉末が噴霧乾燥洗濯洗剤粉末である、請求項１〜１０のいずれか一項に記載の方法。
【請求項１２】
前記噴霧乾燥洗剤粉末が、
（ａ）０重量％〜１０重量％のゼオライトビルダーと、
（ｂ）０重量％〜１０重量％のリン酸塩ビルダーと、
（ｃ）所望により、０重量％〜１５重量％のケイ酸塩と、を含む、請求項１〜１１のいずれか一項に記載の方法。
【請求項１３】
前記噴霧乾燥洗剤粉末が、
（ａ）０重量％〜１０重量％のゼオライトビルダーと、
（ｂ）０重量％〜１０重量％のリン酸塩ビルダーと、
（ｃ）所望により、０重量％〜１５重量％のケイ酸塩と、を含み、
（ｉ）前記第１ポンプの出口における前記パイプ内の圧力と（ｉｉ）前記第２ポンプへの入口における前記パイプ内の圧力との間における圧力の低下が６×１０５Ｐａ未満である、請求項１〜１２のいずれか一項に記載の方法。
【発明の詳細な説明】
【技術分野】
【０００１】
本発明は、噴霧乾燥方法に関連する。
【背景技術】
【０００２】
噴霧乾燥は、洗濯洗剤系粉末を製造するための標準的な方法である。典型的に、洗剤成分は一緒に混合されてミキサー内（例えばクラッチャー・ミキサー）で水性洗剤スラリーを形成する。このスラリーは次いでパイプに沿って、第１低圧ポンプを通じて、次いで第２高圧ポンプを通じて、スプレーノズルに移送され、スラリーは噴霧乾燥塔に噴霧され、噴霧乾燥されて噴霧乾燥粉末を形成する。
【０００３】
この低圧ポンプは、できるだけミキサー（例えばクラッチャー・ミキサー）に接近して配置される必要がある。これは、低圧ポンプのスターべーション（starvation）を避けるため、及び低圧ポンプに安定した供給を確実にするためである。しかしながら、高圧に対応可能なパイプ作業のコスト及びその複雑性から、高圧ポンプからの出口圧に対処する必要があるパイプの部分の長さを限定することも望ましい。換言すれば、高圧ポンプをスプレーノズルにできるだけ近づけて配置することが望ましい。これは一般に低圧ポンプと高圧ポンプとの間に有意な距離を有する必要があるということを意味する。しかしながら、この有意な距離は２つのポンプの間のパイプの部分に沿った、有意な圧力低下となる。これは、高圧ポンプのスターベーションを防ぐために高圧ポンプが最小入口供給圧を有するので、問題であり、よって、これらの２つのポンプがどれくらい離れているかによって（すなわち接続パイプの長さ）によって制約される。これは同様に、加工要件を二分させることになる。
【発明の概要】
【発明が解決しようとする課題】
【０００４】
本発明者らは、洗剤成分、特に粘度増加洗剤成分、例えばアルキルベンゼンスルホン酸を、低圧ポンプと高圧ポンプとの間のパイプ内に導入することによって、及びその流量及び添加のポイントを、２つのポンプ間の圧力低下を制御するように、慎重に制御することによってこの問題を克服した。これは、２つのポンプ間の圧力低下を最小限にし、２つのポンプが更に離れて配置されるのを可能にしつつ（すなわち、２つのポンプ間の接続パイプの長さが増加されるのを可能にする）、ポンプの効果的な操作を維持する。
【課題を解決するための手段】
【０００５】
本発明は、請求項１に記載の方法に関連する。
【発明を実施するための形態】
【０００６】
噴霧乾燥洗剤粉末を調製するための方法
本方法は典型的に、（ａ）ミキサー内で水性洗剤スラリーを形成する工程と、（ｂ）第１ポンプを通じて、次いで第２ポンプを通じて、スプレーノズルにつながるパイプにミキサーから水性洗剤スラリーを移送させる工程と、（ｃ）洗剤成分を第１ポンプの後かつ第２ポンプの前に、パイプ内の水性洗剤スラリーに接触させて混合物を形成する工程と、（ｄ）スプレーノズルを通じて、噴霧乾燥塔内に混合物を噴霧する工程と、（ｅ）混合物を噴霧乾燥させて噴霧乾燥粉末を形成する工程と、を含み、（ｉ）第１ポンプの出口におけるパイプ内の圧力と（ｉｉ）第２ポンプへの入口におけるパイプ内との間における圧力の低下は８×１０５Ｐａ未満、好ましくは６×１０５Ｐａ未満、又は５×１０５Ｐａ未満、又は４×１０５Ｐａ未満、又は３×１０５Ｐａ未満、又は２×１０５Ｐａ未満、又は更に好ましくは１×１０６Ｐａ未満である。パイプ内の圧力は典型的に、適切な位置において（すなわち第１ポンプの出口において、及び第２ポンプの入口において）パイプの壁部に存在する標準圧力ゲージによって測定される。
【０００７】
工程（ａ）：任意の好適な容器、例えばミキサー内で、水性洗剤スラリーを標準的な方式で形成し得る。好適なミキサーには、垂直ミキサー、スラリーミキサー、タンク攪拌器、クラッチャー・ミキサー等が挙げられる。
【０００８】
工程（ｂ）：ミキサーから、少なくとも１つのポンプを通じてスプレーノズルに水性洗剤スラリーを移送する。典型的には、パイプ内で水性洗剤スラリーは移送される。方法が半連続的である場合は、水性スラリーは典型的に、例えばドロップタンクなど中間の保管容器を通じて移送される。あるいは、方法は連続的方法である場合があり、その場合は中間の保管容器は必要ない。水性洗剤スラリーは、少なくとも１つのポンプ、好ましくは少なくとも２つ、又は更には少なくとも３つ以上のポンプを通じて移送されるが、１つ又は２つ、好ましくは３つのポンプが好ましい場合がある。典型的には、２つ以上のポンプが使用されるとき、第１ポンプは低圧ポンプ、例えば３×１０５〜１×１０６Ｐａの圧力を生成することができるポンプであり、第２ポンプは高圧ポンプ、例えば２×１０６〜１×１０７Ｐａの圧力を生成することができるポンプである。所望により、水性洗剤スラリーは、粉砕機（例えばＨｏｓａｋａｗａ  Ｍｉｃｒｏｎによって供給される粉砕機など）を通じて移送される。粉砕機はポンプの前又はポンプの後に配置されてもよい。２つ以上のポンプが存在する場合、粉砕機はポンプの間に配置されてもよい。典型的には、ポンプ、粉砕機、中間の保管容器は、存在する場合、すべて直列の構成である。しかしながら、一部の機器は並列の構成であってもよい。好適なスプレーノズルは、Ｓｐｒａｙ  Ｓｙｓｔｅｍｓ  Ｔ４  Ｎｏｚｚｌｅである。
【０００９】
工程（ｃ）：洗剤成分を第１ポンプの後かつ第２ポンプの前に、パイプ内の水性洗剤スラリーに接触させて混合物を形成する。工程（ｃ）で使用するのに好適な洗剤成分は、説明において後に詳細に記載される。好ましくは、工程（ｃ）で形成される混合物は２０重量％〜３５重量％の水を含む。第１ポンプと第２ポンプとの間の圧力低下は、パイプへの洗剤成分の流量、並びに、洗剤成分及び／又は工程（ｃ）で形成される得られる混合物の粘度、を制御することによって、制御することができる。第１ポンプと第２ポンプとの間の圧力低下は、２つのポンプ間の洗剤成分の添加のポイントを制御することによって、制御することができる。好ましくは、洗剤成分は、第１ポンプよりも第２ポンプにより近いパイプ内のあるポイントにおいて、水性洗剤スラリーに接触させる。洗剤成分が、第２ポンプへの入口の直前に、パイプ内の水性洗剤スラリーに接触させることが更に好ましい場合がある。
【００１０】
工程（ｃ）の前の、第１ポンプと第２ポンプの間でパイプに沿った水性洗剤スラリーの流量は、典型的に８００ｋｇ／時間〜２，０００ｋｇ／時間の範囲であり、工程（ｃ）でのパイプへの洗剤成分の流量は典型的に、１００ｋｇ／時間〜４００ｋｇ／時間の範囲である。（ｉ）第１ポンプと第２ポンプとの間のパイプに沿った、工程（ｃ）の前の水性洗剤スラリーの流量と、（ｉｉ）工程（ｃ）中のパイプへの洗剤成分の流量の比は、３：１〜３０：１、好ましくは３：１〜２０：１、又は更には４：１〜１０：１の範囲である。工程（ｃ）で形成される混合物は典型的に０．８Ｐａｓ〜８Ｐａｓ、好ましくは１Ｐａｓ〜５Ｐａｓの粘度を有する。粘度は典型的には、剪断速度１００ｓ−１において、かつ温度７０℃において、レオメーターを使用して測定される。
【００１１】
工程（ｄ）：スプレーノズルを通じて、噴霧乾燥塔内に工程（ｃ）で形成される混合物を噴霧する。好ましくは混合物は、それがスプレーノズルを通じて噴霧乾燥塔内に噴霧されるとき、６０℃〜１３０℃の温度においてである。好適な噴霧乾燥塔は、並流又は逆流噴霧乾燥塔である。典型的には、混合物は６×１０６Ｐａ〜１×１０７Ｐａの圧力で噴霧される。
【００１２】
工程（ｅ）：混合物を噴霧乾燥させて、噴霧乾燥粉末を形成する。好ましくは、排気温度は６０℃〜１００℃の範囲である。
【００１３】
水性洗剤スラリー
水性洗剤スラリーは典型的には、洗剤成分、例えばアルカリ源、ポリマー、ビルダー、洗浄性界面活性剤、増量剤塩（filler salts）、及びこれらの混合物を含む。しかしながら、水性洗剤スラリーが、低レベルの洗浄性界面活性剤を含むか、又は更にはこれを含まないことが好ましい場合がある。水性洗剤スラリーが低濃度のビルダーを含むか、又は更にはこれを含まないことが好ましい場合もある。好ましくは、水性洗剤スラリーは、０重量％〜５重量％、又は４重量％まで、又は３重量％まで、又は２重量％まで、又は１重量％までの洗浄性界面活性剤を含む。更には、水性洗剤スラリーが本質的に洗浄性界面活性剤を含まないことが好ましい場合がある。「本質的に含まない」とは典型的には、本明細書において「意図的に添加されたものを含まない」ことを意味する。
【００１４】
スラリーの形体であり、従来の噴霧乾燥方法中に水性洗剤スラリーが一般的に経験する滞留時間及び加工条件に曝されるときには、水性洗剤スラリーは、処理が難しい洗浄性界面活性剤を低濃度で、又はこれを全く含まないことが極めて有利である場合がある。このような洗浄性界面活性剤としては、中鎖分枝状洗浄性界面活性剤、特に中鎖分枝状アニオン性洗浄性界面活性剤、及び／又はアルコキシル化洗浄性界面活性剤、特にアルコキシル化アニオン性洗浄性界面活性剤が挙げられる。好ましくは、工程（ａ）で形成される水性洗剤スラリーは、０重量％〜２重量％、好ましくは１重量％までの中鎖分枝状洗浄性界面活性剤を含む。好ましくは、工程（ａ）で形成される水性洗剤スラリーは、中鎖分枝状洗浄性界面活性剤を本質的に含まない。本質的に含まないとは本明細書において、典型的には、「故意に添加されたものを含まない」ことを意味する。好ましくは、工程（ａ）で形成された水性洗剤スラリーは、０重量％〜２重量％、好ましくは１重量％までのアルコキシル化洗浄性界面活性剤を含む。好ましくは、工程（ａ）で形成された水性洗剤スラリーは、アルコキシル化洗浄性界面活性剤を本質的に含まない。「本質的に含まない」とは典型的には、本明細書において「意図的に添加されたものを含まない」ことを意味する。
【００１５】
好ましくは、水性洗剤スラリーは０重量％〜１０重量％の、又は９重量％まで、又は８重量％まで、又は更に７重量％まで、又は更に６重量％まで、又は５重量％まで、又は４重量％まで、又は３重量％まで、又は２重量％、又は１重量％までのゼオライトビルダーを含む。好ましくは、水性洗剤スラリーは、ゼオライトビルダーを本質的に含まない。
【００１６】
好ましくは、水性洗剤スラリーは０重量％〜１０重量％の、又は９重量％まで、又は８重量％まで、又は更に７重量％まで、又は更に６重量％まで、又は５重量％まで、又は４重量％まで、又は３重量％まで、又は２重量％まで、又は１重量％までのリン酸塩ビルダーを含む。好ましくは、水性洗剤スラリーは、リン酸塩ビルダーを本質的に含まない。
【００１７】
好ましくは、水性洗剤スラリーはアルカリ性である。好ましくは、水性洗剤スラリーは、７．０より大きい、好ましくは７．７より大きい、又は８．１より大きい、又は更には８．５より大きい、又は９．０より大きい、又は９．５より大きい、又は１０．０より大きい、又は更には１０．５より大きい、及び好ましくは１４までの、又は１３までの、又は１２までのｐＨを有する。
【００１８】
好ましくは、水性洗剤スラリーは、０．１Ｐａｓ〜０．５Ｐａｓの粘度を有する。粘度は典型的に、１００ｓ−１かつ温度７０℃の剪断において、レオメーターを使用して測定される。
【００１９】
噴霧乾燥洗剤粉末
噴霧乾燥洗剤粉末は典型的には、（ｉ）洗浄性界面活性剤、及び（ｉｉ）他の洗剤成分を含む極めて好ましくは、噴霧乾燥洗剤粉末は、（ａ）０重量％〜１０重量％のゼオライトビルダーと、（ｂ）０重量％〜１０重量％のリン酸塩ビルダーと、（ｃ）所望により、０重量％〜１５重量％のケイ酸塩と、を含む。
【００２０】
噴霧乾燥洗剤粉末は任意の洗剤用途、例えば自動洗濯機及び手洗い洗濯を含む洗濯、並びに更には漂白剤及び選択添加剤；硬質表面洗浄；食器洗浄、特に自動食器洗浄；カーペット洗浄、及びフレッシュニングに好適である。しかしながら、極めて好ましくは、噴霧乾燥洗剤粉末は噴霧乾燥洗濯洗剤粉末である。
【００２１】
噴霧乾燥洗剤粉末は完全に配合された洗剤製品、例えば完全に配合された洗濯洗剤製品であってもよく、又はそれは他の粒子と組み合わされて、完全に配合された洗剤製品、例えば完全に配合された洗濯洗剤製品を形成してもよい。噴霧乾燥洗剤粒子は他の粒子、例えば酵素粒子；香料マイクロカプセルの粒塊若しくその押出品などの香料粒子、及び香料封入物、例えばデンプン封入香料アコード粒子；界面活性剤粒子、例えば、粒塊若しくは押出品を含む非イオン性洗浄性界面活性剤粒子、粒塊若しくは押出品を含むアニオン性洗浄性界面活性剤、及び粒塊若しくは押出品を含むカチオン性洗浄性界面活性剤粒子；汚れ放出ポリマー粒子を含むポリマー粒子、セルロース系ポリマー粒子；硫酸塩粒子を含む充填剤粒子、特に硫酸ナトリウム粒子；炭酸塩及び／又はケイ酸塩粒子を含む緩衝剤粒子、例えば炭酸ナトリウム及びケイ酸ナトリウム共存粒子及び粒子、並びに重炭酸ナトリウム；他の噴霧乾燥粒子；蛍光ホワイトニング粒子；審美的粒子、例えば着色されたヌードル又はニードル成形品（noodles or needles）、又は層板粒子；漂白粒子、例えば過炭酸塩粒子、特に、炭酸塩及び／又は硫酸でコーティングされた過炭酸塩、ケイ酸塩でコーティングされた過炭酸塩、ホウケイ酸でコーティングされた過炭酸塩、過ホウ酸ナトリウムでコーティングされた過炭酸塩などのコーティングされた過炭酸塩粒子；漂白触媒粒子、例えば遷移金属触媒漂白粒子、及びイミン漂白促進粒子；過酸化された（performed peracid）粒子；色調顔料粒子；並びにこれらの混合物など、他の粒子と組み合わされてもよい。
【００２２】
本発明の極めて好ましい実施形態では、噴霧乾燥洗剤粉末は（ａ）１５重量％〜３０重量％の洗浄性界面活性剤と、（ｂ）０重量％〜４重量％ゼオライトビルダーと、（ｃ）０重量％〜４重量％リン酸塩ビルダーと、（ｄ）所望により０重量％〜１５重量％のケイ酸塩と、を含む。
【００２３】
噴霧乾燥粉末は、典型的には、０重量％〜７重量％、好ましくは１重量％〜５重量％、及び好ましくは２重量％〜３重量％の水を含む。
【００２４】
噴霧乾燥粒子は典型的に流動性であり、典型的に０Ｎ〜２０Ｎ、好ましくは０Ｎ〜１５Ｎ、より好ましくは０Ｎ〜１０Ｎ、最も好ましくは０Ｎ〜５Ｎのケーキ強度を有する。ケーキ強度を測定するための方法は説明において他の部分で詳細に記載されている。
【００２５】
ケーキ強度の測定法
内径６．３５ｍｍ及び長さ１５．９ｍｍの滑らかなプラスチックシリンダーが、好適な底板上に支持される。穴の中心が底板の反対側端部から９．２ｃｍであるように、０．６５ｃｍの穴を、シリンダーを貫いてあける。
【００２６】
金属ピンを穴を通して挿入し、内径６．３５ｃｍ及び長さ１５．２５ｃｍの滑らかなプラスチックスリーブを、スリーブがシリンダーを自由に上下移動でき金属ピンで停止するように、内側シリンダーの周りに設置する。次いで、スリーブの内側の空間を、噴霧乾燥粉末がスリーブの最上部と水平になるように、噴霧乾燥粉末で（軽く叩いたり、又は過剰な振動なしに）充填する。蓋をスリーブの最上部に設置し、５ｋｇのおもりを蓋の上に置く。次にピンを引き抜き、噴霧乾燥粉末を２分間圧縮させる。２分後におもりを除去し、蓋が粉末の最上部に残っている状態で粉末ケーキを曝露するようにスリーブを下げる。
【００２７】
次に、金属プローブが蓋の中心に接触しケーキを壊すように、金属プローブを５４ｃｍ／分で下げる。ケーキを壊すのに必要な最大力が記録され、これが試験の結果である。０Ｎのケーキ強度は、ケーキが形成されていない状況を指す。
【００２８】
工程（ｃ）において水性洗剤スラリーに接触させるのに好適な洗剤成分
任意の洗剤成分が、工程（ｃ）において水性洗剤スラリーに接触させるのに使用され得る。しかしながら、極めて好ましい洗剤成分は、アルキルベンゼンスルホン酸又はその塩；ポリマー；アルコキシル化洗浄性界面活性剤；水酸化ナトリウム；中鎖分枝状洗浄性界面活性剤；カチオン性洗浄性界面活性剤；及びこれらの混合物から選択される。
【００２９】
好ましくは、工程（ｃ）において、洗剤成分はアルキルベンゼンスルホン酸又はその塩を含む。好ましくは、工程（ｃ）において、洗剤成分はポリマーを含む。好ましくは、工程（ｃ）において、洗剤成分はアルコキシル化洗浄性界面活性剤を含む。好ましくは、工程（ｃ）において、洗剤成分は水酸化ナトリウムを含む。好ましくは、工程（ｃ）において、洗剤成分は中鎖分枝状洗浄性界面活性剤を含む。好ましくは、工程（ｃ）において、洗剤成分はカチオン性洗浄性界面活性剤を含む。
【００３０】
洗浄性界面活性剤
好適な洗浄性界面活性剤としては、アニオン性洗浄性界面活性剤、非イオン性洗浄性界面活性剤、カチオン性洗浄性界面活性剤、双極性イオン性洗浄性界面活性剤、及び両性洗浄性界面活性剤が挙げられる。
【００３１】
好ましいアニオン性洗浄性界面活性剤には、サルフェート洗浄性界面活性剤及びスルホネート界面活性剤が挙げられる。
【００３２】
好ましいスルホネート洗浄性界面活性剤には、アルキルベンゼンスルホネート、好ましくはＣ１０〜１３アルキルベンゼンスルホネートが挙げられる。好適なアルキルベンゼンスルホネート（ＬＡＳ）は、市販の直鎖アルキルベンゼン（ＬＡＢ）をスルホン化することによって得ることができ、好ましくはそのようにして得られ、好適なＬＡＢとしては、Ｓａｓｏｌより商標名Ｉｓｏｃｈｅｍ（登録商標）で供給されているもの、又はＰｅｔｒｅｓａより商標名Ｐｅｔｒｅｌａｂ（登録商標）で供給されているものなどの、低級２−フェニルＬＡＢが挙げられ、他の好適なＬＡＢとしては、Ｓａｓｏｌより商標名Ｈｙｂｌｅｎｅ（登録商標）で供給されているものなどの、高級２−フェニルＬＡＢが挙げられる。好適なアニオン性洗浄界面活性剤は、ＤＥＴＡＬ触媒方法によって得られるアルキルベンゼンスルホネートであるが、ＨＦなどの他の合成経路もまた好適な場合がある。
【００３３】
好ましいサルフェート洗浄性界面活性剤には、アルキルサルフェート、好ましくはＣ８〜１８アルキルサルフェート、又は主にＣ１２アルキルサルフェートが挙げられる。
【００３４】
他の好ましいサルフェート洗浄性界面活性剤はアルキルアルコキシル化サルフェート、好ましくはアルキルエトキシル化サルフェート、好ましくはＣ８〜１８アルキルアルコキシル化サルフェート、好ましくはＣ８〜１８アルキルエトキシル化サルフェートであり、好ましくはアルキルアルコキシル化サルフェートは、０．５〜２０、好ましくは０．５〜１０の平均アルコキシル化度を有し、好ましくはアルキルアルコキシル化サルフェートは、０．５〜１０、好ましくは０．５〜７、より好ましくは０．５〜５、及び最も好ましくは０．５〜３の平均エトキシル化度を有するＣ８〜１８アルキルエトキシル化サルフェートである。
【００３５】
アルキルサルフェート、アルキルアルコキシル化サルフェート及びアルキルベンゼンスルホネートは、直鎖又は分枝鎖であってもよく、置換又は非置換であってもよい。
【００３６】
好適な非イオン性洗浄性界面活性剤は、Ｃ８〜Ｃ１８アルキルエトキシレート、ＳｈｅｌｌからのＮＥＯＤＯＬ（登録商標）非イオン性界面活性剤；Ｃ６〜Ｃ１２アルキルフェノールアルコキシレートであって、ここでアルコキシレート単位はエチレンオキシ単位、プロピレンオキシ単位、プロピレンオキシ単位、又はこれらの混合物であるもの；エチレンオキシド／プロピレンオキシドブロックポリマーとのＣ１２〜Ｃ１８アルコール縮合物及びＣ６〜Ｃ１２アルキルフェノール縮合物、例えばＢＡＳＦからのＰｌｕｒｏｎｉｃ（登録商標）；Ｃ１４〜Ｃ２２中鎖分枝状アルコール、好ましくは１〜３０の平均アルコキシル化度を有するＣ１４〜Ｃ２２中鎖分枝状アルキルアルコキシレート；アルキル多糖、好ましくはアルキルポリグリコシド；ポリヒドロキシ脂肪酸アミド；エーテルで末端保護されたポリ（オキシアルキル化）アルコール界面活性剤；並びにこれらの混合物からなる群から選択される。
【００３７】
好ましい非イオン性洗浄界面活性剤は、アルキルポリグルコシド及び／又はアルキルアルコキシル化アルコールである。
【００３８】
好ましい非イオン性洗浄性界面活性剤にはアルキルアルコキシル化アルコール、好ましくはＣ８〜１８アルキルアルコキシル化アルコール、好ましくはＣ８〜１８アルキルエトキシル化アルコールが挙げられ、好ましくはアルキルアルコキシル化アルコールは、１〜５０、好ましくは１〜３０、又は１〜２０、又は１〜１０の平均アルコキシル化度を有し、好ましくは、アルキルアルコキシル化アルコールは、１〜１０、好ましくは１〜７、より好ましくは１〜５、及び最も好ましくは３〜７の平均エトキシル化度を有するＣ８〜１８アルキルエトキシル化アルコールである。アルキルアルコキシル化アルコールは、直鎖又は分枝鎖であってもよく、置換又は非置換であってもよい。
【００３９】
好適なカチオン性洗浄性界面活性剤としては、アルキルピリジニウム化合物、アルキル四級アンモニウム化合物、アルキル四級ホスホニウム化合物、アルキル三級スルホニウム化合物、及びこれらの混合物が挙げられる。
【００４０】
好適なカチオン性洗浄界面活性剤は、次の一般式を有する四級アンモニウム化合物である。
【００４１】
（Ｒ）（Ｒ１）（Ｒ２）（Ｒ３）Ｎ＋Ｘ−
式中、Ｒは直鎖又は分岐鎖、置換又は非置換のＣ６〜１８アルキル又はアルケニル部分であり、Ｒ１及びＲ２は、独立して、メチル又はエチル部分から選択され、Ｒ３は、ヒドロキシル、ヒドロキシメチル又はヒドロキシエチル部分であり、Ｘは電気的中性を付与するアニオンであり、好ましいアニオンには、ハロゲン化物、好ましくは塩化物、サルフェート及びスルホネートが挙げられる。好ましいカチオン性洗浄界面活性剤は、モノ−Ｃ６〜１８アルキルモノヒドロキシエチルジメチル四級アンモニウムクロリドである。非常に好ましいカチオン性洗浄界面活性剤は、モノ−Ｃ８〜１０アルキルモノヒドロキシエチルジメチル四級アンモニウムクロリド、モノ−Ｃ１０〜１２アルキルモノヒドロキシエチルジメチル四級アンモニウムクロリド、及びモノ−Ｃ１０アルキルモノヒドロキシエチルジメチル四級アンモニウムクロリドである。
【００４２】
ポリマー
ポリマーは任意の好適なポリマーであってもよい。
【００４３】
１つの好適なポリマーは両親媒性グラフトポリマー（ＡＧＰ）である。好適なＡＧＰは、数平均分子量約２，０００〜約１００，０００のポリアルキレンオキシドを、部分的に鹸化できる酢酸ビニルとグラフト化することにより得られ、ポリアルキレンオキシドと酢酸ビニルとの重量比は、約１：０．２〜約１：１０である。酢酸ビニルは、例えば、１５％程度までに鹸化できる。ポリアルキレンオキシドは、エチレンオキシド、プロピレンオキシド、及び／又はブチレンオキシド単位を含んでもよい。特定の実施形態は、エチレンオキシドを含む。
【００４４】
いくつかの実施形態では、ポリアルキレンオキシドは、約４，０００〜約５０，０００の数平均分子量を有し、ポリアルキレンオキシドと酢酸ビニルとの重量比は、約１：０．５〜約１：６である。分子量６，０００のポリエチレンオキシド（１３６エチレンオキシド単位に等しい）をベースとするこの定義に含まれる物質は、ポリエチレンオキシド１重量部当たり約３重量部の酢酸ビニル単位を含有し、それ自体の分子量が約２４，０００であるもので、ＢＡＳＦからＳｏｋａｌａｎ  ＨＰ２２として市販されている。
【００４５】
好適なＡＧＰは、約０％〜約５％、好ましくは約０％〜約４％、又は約０．５％〜約２％の重量％で洗剤組成物中に存在することができる。いくつかの実施形態では、ＡＧＰは約１．５重量％よりも多く存在する。ＡＧＰは、カチオン性コアセルベート化ポリマーの存在下においても、優れた疎水性汚れの懸濁をもたらすことが判明している。
【００４６】
好ましいＡＧＰは、グラフト基材としての水溶性ポリアルキレンオキシド、及びビニルエステル成分の重合により形成される側鎖をベースとする。これらポリマーは、５０アルキレンオキシド単位当たり平均１以下のグラフト部位、及び約３０００〜約１００，０００の平均モル質量（Ｍｗ）を有している。
【００４７】
他の好適なポリマーはポリエチレンオキシド、好ましくは置換又は非置換のものである。
【００４８】
他の好適なポリマーは、セルロース系ポリマー、好ましくはアルキルセルロース、アルキルアルコキシアルキルセルロース、カルボキシルアルキルセルロース、アルキルカルボキシアルキル、より好ましくはブロック性のＣＭＣを含むカルボキシメチルセルロース（ＣＭＣ）、メチルセルロース、メチルヒドロキシエチルセルロース、メチルカルボキシメチルセルロース、及びこれらの混合物から選択される。
【００４９】
他の好適なポリマーは汚れ放出ポリマーである。好適なポリマーにはポリエステルの汚れ放出ポリマーが挙げられる。他の好適なポリマーにはテレフタレートポリマー、ポリウレタン、及びこれらの混合物が挙げられる。汚れ放出ポリマー、例えばテレフタレート及びポリウレタンポリマーは、例えば泡立ちなどの更なる利益を付与するために疎水変性であってもよい。
【００５０】
他の好適なポリマーには、ポリアミン、好ましくはポリエチレンイミンポリマーが挙げられ、好ましくはエチレンオキシド及び／又はプロピレンオキシド官能化ブロックを有する。
【００５１】
他の好適なポイマ―には、合成アミノ含有両性／及び／又は双極性イオンポリマー、例えばヘキサメチレンジアミン由来のものなどが挙げられる。
【００５２】
他の好適なポリマーは、上記に詳しく詳述されているＡＧＰなど、界面活性剤によって共ミセル化（co-micellized）され得るポリマーである。
【００５３】
他の好適なポリマーには、カルボキシレートポリマー、例えばポリアクリレート、及びアクリレート／マレイン酸コポリマー、及び他の官能化ポリマー、例えばスチレンアクリレートが挙げられる。
【００５４】
他の好適なポリマーには、アミノ官能化シリコーンなどの、シリコーンが挙げられる。
【００５５】
他の好適なポリマーには、多糖ポリマー、例えばセルロース、デンプン、リグニン、ヘミセルロース、及びこれらの混合物が挙げられる。
【００５６】
他の好適なポリマーには、カチオン性ポリマー、例えば付着助剤ポリマー、例えばカチオン変性されたセルロース、例えばカチオン性ヒドロキシエチレンセルロース、カチオン性グアーガム、カチオン性デンプン、カチオン性アクリルアミド、及びこれらの混合物が挙げられる。
【００５７】
上記のポリマーの任意の混合物が本明細書で使用されてもよい。
【００５８】
ゼオライトビルダー
好適なゼオライトビルダーとしては、ゼオライトＡ、ゼオライトＰ、及びゼオライトＭＡＰが挙げられる。特に好適なのはゼオライト４Ａである。
【００５９】
リン酸塩ビルダー
典型的なリン酸塩ビルダーは、トリポリリン酸ナトリウムである。
【００６０】
ケイ酸塩
好適なケイ酸塩は、ケイ酸ナトリウム、好ましくは１．６Ｒ及び／又は２．０Ｒケイ酸ナトリウムである。
【００６１】
他の洗剤成分
本組成物は、典型的には、他の洗剤成分を含む。好適な洗剤成分には、遷移金属；イミン漂白促進剤；酵素、例えばアミラーゼ、カルボヒドラーゼ、セルラーゼ、ラッカーゼ、リパーゼ、漂白酵素、例えばオキシダーゼ及びペルオキシダーゼ、プロテアーゼ、ペクチン酸リアーゼ、及びマンナナーゼ；過酸素源、例えば、過炭酸塩及び／又は過ホウ酸塩（好ましくは過炭酸ナトリウムである）（過酸素源は、好ましくは炭酸塩、硫酸塩、ケイ酸塩、ホウケイ酸塩、又はこれらの混合塩を含む混合物などのコーティング成分により少なくとも部分的にコーティングされ、好ましくは完全にコーティングされる）；漂白活性化剤、例えば、テトラアセチルエチレンジアミン、オキシベンゼンスルホネート漂白活性化剤、例えば、ノナノイルオキシベンゼンスルホネート、カプロラクタム漂白活性化剤、イミド漂白活性化剤、例えば、Ｎ−ノナノイル−Ｎ−メチルアセトアミド、予備形成された過酸、例えば、Ｎ，Ｎ−フタロイルアミノ（pthaloylamino）ペルオキシカプロン酸、ノニルアミドペルオキシアジピン酸、又はジベンゾイル過酸化物；泡抑制剤系、例えば、シリコーン系泡抑制剤；光沢剤；色調剤；光退色剤；布柔軟化剤、例えば、粘土、シリコーン、及び／又は第四級アンモニウム化合物；凝集剤、例えば、ポリエチレンオキシド；染料移行阻害剤、例えばポリビニルピロリドン、ポリ４−ビニルピリジンＮ−酸化物、及び／並びにビニルピロリドン及びビニルイミダゾールのコポリマー；布地保全成分、例えば、イミダゾール及びエピクロロヒドリン（epichlorhydrin）の縮合によって生成されるオリゴマー；汚れ分散剤及び汚れ再付着防止助剤、例えば、アルコキシル化ポリアミン及びエトキシル化エチレンイミンポリマー；再付着防止成分、例えばポリエステル及び／又はテレフタレートポリマー、ビニルアルコール及び／又はビニルアセテートペンダント基で置換されたポリエチレングリコールなどのポリエチレングリコール、香料、例えば香料マイクロカプセル、シッフ塩基香料／ポリマー錯体を含むポリマー支援型香料送達システム、デンプン封入香料調和剤；着色されたヌードル又はニードル成形品（noodles or needles）を含む審美的粒子；充填剤、例えば硫酸ナトリウム（しかし、成分が実質的に充填剤を含まないことが好ましい場合がある）；ケイ酸塩、例えばケイ酸ナトリウム、１．６Ｒ及び／又は２．０Ｒケイ酸ナトリウムなど、又はメタケイ酸ナトリウム；ジカルボン酸及びジオールのコポリマー；セルロース系ポリマー、例えばメチルセルロース、カルボキシメチルセルロース、ヒドロキシエトキシセルロース、又は他のアルキル若しくはアルキルアルコキシセルロース、及び疎水変性セルロース；クエン酸及び／又はクエン酸ナトリウムなどのカルボン酸及び／又はその塩；並びにこれらの任意の組み合わせが挙げられる。
【実施例】
【００６２】
実施例１．噴霧乾燥洗濯洗剤粉末及びその作製方法
【表１】
2013513717.tif 000002
【００６３】
噴霧乾燥洗濯洗剤粉末の調製
上記の組成物を有するアルカリ性水性スラリーが、スラリー作製容器（クラッチャー）内で調製される。上記のスラリーの湿分含量は２３．１％である。上記で添加される液体の形状の任意の成分は、水性スラリーが決して７０℃を下回る温度にならないように、７０℃に加熱される。圧力６．０×１０５Ｐａで飽和した流れは、クラッチャーに注入され、温度を９０℃まで上昇させる。スラリーは次いで低圧ライン（第１ポンプの出口において９．０×１０５Ｐａの圧力を有する）に注入される。１１．４部のＣ８〜Ｃ２４のアルキルベンゼンスルホン酸（ＨＬＡＳ）及び３．２部の５０％（重量／重量）水酸化ナトリウム水溶液が、別々の低圧ラインにポンプ移送される。得られる混合物の粘度は上昇する。得られる混合物は次いで、高圧ポンプによって高圧ライン（第２ポンプの入口におけるパイプ内の圧力は４×１０５Ｐａであり、出口圧力は８．０×１０６Ｐａである）に注入される。
【００６４】
低圧ポンプと高圧ポンプとの間で（すなわち低圧ラインにおいて）水性スラリーに対する洗剤成分の添加のポイントを制御することによって、２つのポンプ間（それらの間では５×１０５Ｐａの圧力低下が生じる）のパイプの長さは制御することができる。例えば、洗剤成分を水性洗剤スラリーに、第２（高圧）ポンプパイプの入口直前で接触させる場合、実施例における２つのポンプ間のパイプの長さは３３１ｍであり、洗剤成分を２つのポンプ間の中間で接触させる場合、ポンプ間のパイプの距離は６１．２ｍである（並びに例示目的のみで、洗剤成分を第１ポンプの前に水性洗剤スラリーに接触させる場合（本発明の範囲外）、ポンプ間のパイプの長さは３３．７５ｍである）。
【００６５】
この混合物は次いで、圧力８．０×１０６Ｐａ及び温度９０℃＋／−２℃において、１，６４０ｋｇ／時間の速度でスプレー圧力ノズルを通じて入口温度は３００℃において、逆流噴霧乾燥塔内に噴霧される。混合物は粉末化され、粉末化されたスラリーは乾燥され固体の混合物を作り、これは次いで冷却され、サイズ超過（＞１．８ｍｍ）の材料を取り除くためにふるいにかけられ、噴霧乾燥粉末を形成し、これは自由流動性である。微細材料（＜０．１５ｍｍ）を、噴霧−乾燥塔内の排気で風簸して、塔後（post tower）の収容システム内に収集する。噴霧乾燥粉末は、８０重量％以上の噴霧乾燥粉末が、１５０〜７１０マイクロメートルの粒径を有するように、２．５重量％の湿分含量、５１０ｇ／Ｌの嵩密度及び粒径分布を有する。この噴霧乾燥粉末の組成を以下に示す。
【表２】
2013513717.tif 000003
【表３】
2013513717.tif 000004
【００６６】
上記の洗濯用洗剤組成物は、標準バッチミキサー内で上記の粒子すべて（ＡＥ７を除くすべて）を乾燥混合することによって調製された。液体形態のＡＥ７が、標準バッチミキサー内の粒子上に噴霧される。あるいは、液体形態のＡＥ７が、実施例１の噴霧乾燥粉末上に噴霧される。生じる粉末は次に、標準バッチミキサー内で他の粒子すべてと混合される。
【００６７】
本明細書で開示した寸法及び値は、列挙した厳密な数値に厳格に限定されるものとして解釈されるものではない。むしろ、別段の指定がない限り、そのような各寸法は、列挙した値と、その値を包含する機能的に等価な範囲との双方を意味することを意図したものである。例えば、「４０ｍｍ」として開示された寸法は、「約４０ｍｍ」を意味することを意図する。
【国際調査報告】
2013513717.tif 000005
2013513717.tif 000006